(57)【要約】【課題】番組情報から抽出したキーワードから所望のものを選択して登録することができるようにする。【解決手段】アンテナを介してデジタルテレビ放送受信部２によって受信されたデジタルテレビ放送の受信信号は、デマルチプレクサ３によって映像データ、音声データに分離される。ＥＰＧデータ抽出部７によって映像データに重畳されたＥＰＧデータが抽出され、ＥＰＧデータ記憶部８に記憶される。ユーザインタフェース管理部１１は、リモコン受信部１３を介して受信されたリモコン２００からの制御データに基づいて、ＥＰＧデータに含まれる番組情報から抽出したキーワードを表示し、所望のキーワードを選択するための表示データを生成し、ＯＳＤ描画部１２に供給する。ＯＳＤ描画部１２は、表示データに対応するＯＳＤデータを生成し、映像／ＯＳＤ信号合成部６に供給し、映像表示部１６にキーワードが表示される。【選択図】図１
2008278400.tif 000002
【特許請求の範囲】
【請求項１】
番組に関する番組情報を取得する番組情報取得手段と、
前記番組情報取得手段によって取得された前記番組情報を記憶する番組情報記憶手段と、
前記番組情報からキーワードを抽出する抽出手段と、
前記抽出手段によって抽出された前記キーワードからユーザが所望のものを選択するための選択手段と、
前記選択手段によって選択された前記キーワードを記憶するキーワード記憶手段と、
前記番組情報から、前記キーワード記憶手段によって記憶された前記キーワードに関連する番組を検索する検索手段と、
前記検索手段による検索結果に応じて所定の処理を実行する実行手段と
を備えることを特徴とするキーワード設定装置。
【請求項２】
前記選択手段は、前記抽出手段によって抽出された前記キーワードの一覧を所定の表示装置の画面に表示し、
ユーザからの指示に従って前記表示装置の画面に表示された前記キーワードの一覧の中の所定のものを選択する
ことを特徴とする請求項１に記載のキーワード設定装置。
【請求項３】
前記選択手段によって選択された前記キーワードに優先順位を設定する優先順位設定手段をさらに備え、
前記選択手段は、前記キーワードを優先順位の高いものから順に前記表示装置の画面に表示する
ことを特徴とする請求項２に記載のキーワード設定装置。
【請求項４】
前記実行手段は、前記検索手段による検索結果に応じて、所定の番組の視聴予約、録画予約、または視聴制限を行う
ことを特徴とする請求項１に記載のキーワード設定装置。
【請求項５】
前記実行手段は、視聴予約および録画予約に対応する予約データを記憶し、
前記選択手段は、前記予約データから予約がされていない空き時間帯を検索し、前記空き時間帯に放送されている番組に関する情報を前記番組情報から取得し、選択可能な項目として前記表示装置の画面に表示させる
ことを特徴とする請求項２に記載のキーワード設定装置。
【請求項６】
視聴可能な日時および時間帯を設定する設定手段をさらに備え、
前記選択手段は、前記日時および時間帯に放送され、かつ、前記キーワードに関連する番組を、前記番組情報から検索し、検索結果を前記表示装置の画面に表示する
ことを特徴とする請求項２に記載のキーワード設定装置。
【請求項７】
番組に関する番組情報を取得する番組情報取得ステップと、
前記番組情報取得ステップにおいて取得された前記番組情報を記憶する番組情報記憶ステップと、
前記番組情報からキーワードを抽出する抽出ステップと、
前記抽出ステップにおいて抽出された前記キーワードからユーザが所望のものを選択するための選択ステップと、
前記選択ステップにおいて選択された前記キーワードを記憶するキーワード記憶ステップと、
前記番組情報から、前記キーワード記憶ステップにおいて記憶された前記キーワードに関連する番組を検索する検索ステップと、
前記検索ステップにおける検索結果に応じて所定の処理を実行する実行ステップと
を備えることを特徴とするキーワード設定方法。
【請求項８】
番組に関する番組情報を取得する番組情報取得ステップと、
前記番組情報取得ステップにおいて取得された前記番組情報を記憶する番組情報記憶ステップと、
前記番組情報からキーワードを抽出する抽出ステップと、
前記抽出ステップにおいて抽出された前記キーワードからユーザが所望のものを選択するための選択ステップと、
前記選択ステップにおいて選択された前記キーワードを記憶するキーワード記憶ステップと、
前記番組情報から、前記キーワード記憶ステップにおいて記憶された前記キーワードに関連する番組を検索する検索ステップと、
前記検索ステップにおける検索結果に応じて所定の処理を実行する実行ステップと
をコンピュータに実行させることを特徴とするキーワード設定プログラム。
【発明の詳細な説明】
【技術分野】
【０００１】
本発明はキーワード設定方法に関し、特に、視聴制限、視聴予約、および録画予約等に用いるキーワードを設定するキーワード設定方法に関するものである。
【背景技術】
【０００２】
従来、ユーザは、新聞のテレビ欄やテレビ番組ガイド雑誌等から放送される番組の名前や放送日時を入手し、視聴したい番組があると、その番組が放送される日時にテレビジョン受像機１００を操作して視聴したり、ビデオテープレコーダやハードディスクレコーダ等の録画装置にその番組が放送されるチャンネルおよび放送開始終了時刻を設定して録画予約し、予約録画されたものを後日、視聴したりするようにしている。
しかしながら、従来の録画予約では、見たい番組を録画予約する場合、その番組が放送されるチャンネルおよび放送開始終了時刻を番組毎に調べて手入力しなければならず、操作が煩雑であるという問題があった。
そこで、ユーザが予め所望のキーワードをキーボードを用いて入力し、入力したキーワードに基づく検索条件に合致するテレビジョン番組をテレビジョン番組データベースから検索し、検索された番組に対応するチャンネル情報および放送開始終了時刻を記憶し、放送開始時刻になると、チューナを制御してその番組が放送されるチャンネルに切り替えて予約録画を実行するようにしたものがある（例えば、特許文献１参照）。
また、キーワード情報に優先順位を付与することで、例えば、同じ放送時間帯に録画予約したい番組が複数ある場合などに、その優先順位に従って所望の番組の録画予約を簡単に行うことができるようにしたものがある（例えば、特許文献２参照）。
【特許文献１】特開平０３−３５４５１号公報
【特許文献２】特開２００６−５５４１号公報
【発明の開示】
【発明が解決しようとする課題】
【０００３】
しかしながら、従来の技術では、キーワードをキーボードを用いて入力しなければならず、入力作業が面倒であるという問題があった。
【０００４】
本発明はこのような状況に鑑みてなされたものであり、上記問題点を解決できるキーワード設定方法を提供することを目的とする。
【課題を解決するための手段】
【０００５】
請求項１に記載のキーワード設定装置は、番組に関する番組情報を取得する番組情報取得手段と、番組情報取得手段によって取得された番組情報を記憶する番組情報記憶手段と、番組情報からキーワードを抽出する抽出手段と、抽出手段によって抽出されたキーワードからユーザが所望のものを選択するための選択手段と、選択手段によって選択されたキーワードを記憶するキーワード記憶手段と、番組情報から、キーワード記憶手段によって記憶されたキーワードに関連する番組を検索する検索手段と、検索手段による検索結果に応じて所定の処理を実行する実行手段とを備えることを特徴とする。
また、選択手段は、抽出手段によって抽出されたキーワードの一覧を所定の表示装置の画面に表示し、ユーザからの指示に従って表示装置の画面に表示されたキーワードの一覧の中の所定のものを選択するようにすることができる。
また、選択手段によって選択されたキーワードに優先順位を設定する優先順位設定手段をさらに備え、選択手段は、キーワードを優先順位の高いものから順に表示装置の画面に表示するようにすることができる。
また、実行手段は、検索手段による検索結果に応じて、所定の番組の視聴予約、録画予約、または視聴制限を行うようにすることができる。
また、実行手段は、視聴予約および録画予約に対応する予約データを記憶し、選択手段は、予約データから予約がされていない空き時間帯を検索し、空き時間帯に放送されている番組に関する情報を番組情報から取得し、選択可能な項目として表示装置の画面に表示させるようにすることができる。
また、視聴可能な日時および時間帯を設定する設定手段をさらに備え、選択手段は、日時および時間帯に放送され、かつ、キーワードに関連する番組を、番組情報から検索し、検索結果を表示装置の画面に表示するようにすることができる。
請求項７に記載のキーワード設定方法は、番組に関する番組情報を取得する番組情報取得ステップと、番組情報取得ステップにおいて取得された番組情報を記憶する番組情報記憶ステップと、番組情報からキーワードを抽出する抽出ステップと、抽出ステップにおいて抽出されたキーワードからユーザが所望のものを選択するための選択ステップと、選択ステップにおいて選択されたキーワードを記憶するキーワード記憶ステップと、番組情報から、キーワード記憶ステップにおいて記憶されたキーワードに関連する番組を検索する検索ステップと、検索ステップにおける検索結果に応じて所定の処理を実行する実行ステップとを備えることを特徴とする。
請求項８に記載のキーワード設定プログラムは、番組に関する番組情報を取得する番組情報取得ステップと、番組情報取得ステップにおいて取得された番組情報を記憶する番組情報記憶ステップと、番組情報からキーワードを抽出する抽出ステップと、
抽出ステップにおいて抽出されたキーワードからユーザが所望のものを選択するための選択ステップと、選択ステップにおいて選択されたキーワードを記憶するキーワード記憶ステップと、番組情報から、キーワード記憶ステップにおいて記憶されたキーワードに関連する番組を検索する検索ステップと、検索ステップにおける検索結果に応じて所定の処理を実行する実行ステップとをコンピュータに実行させることを特徴とする。
【発明の効果】
【０００６】
本発明のキーワード設定方法によれば、ＥＰＧデータからキーワードを抽出して画面上に表示し、その中から所望のキーワードを選択し登録することができるようにしたので、いま視聴している番組等に関連するキーワードを簡単に登録することができる。また、この登録したキーワードを視聴制限、視聴予約、録画予約等に簡単に利用することができる。
【発明を実施するための最良の形態】
【０００７】
図１は、本発明が適用されるテレビジョン受像機の一実施の形態の構成例を示すブロック図である。以下、本実施の形態の構成例について説明する。
【０００８】
図１に示すように、本発明の実施の形態であるテレビジョン受像機１００は、アンテナ１を介してデジタルテレビ放送の電波を受信し、所定のチャンネルを選局し、選局したチャンネルのデジタル放送信号（圧縮された映像データ、圧縮された音声データ、および圧縮されたＥＰＧ（Electronic Program Guide）データからなる）を出力するデジタルテレビ放送受信部２と、デジタルテレビ放送受信部２より出力されたデジタル放送信号を、圧縮された映像データ、圧縮された音声データ、および圧縮されたＥＰＧデータに分離してそれぞれ出力するデマルチプレクサ３と、デマルチプレクサ３より出力された圧縮された映像データに対してデコード処理を行い、デコードされた映像データを出力する映像デコード部４と、デマルチプレクサ３より出力された圧縮された音声データに対してデコード処理を行い、デコードされた音声データを出力する音声デコード部５と、デマルチプレクサ３より出力された圧縮されたＥＰＧデータに対してデコード処理を行い、デコードされたＥＰＧデータを出力するＥＰＧデータ抽出部７と、ＥＰＧデータ抽出部７より出力されたＥＰＧデータを記憶するＥＰＧデータ記憶部８と、ＥＰＧデータ記憶部８に記憶されているＥＰＧデータに基づいて、電子番組表を構成し、電子番組表構成データを生成し出力する電子番組表構成部９と、電子番組表構成部９によって生成され出力された電子番組表構成データに基づいて、電子番組表の表示画面に対応する電子番組表表示データを生成する電子番組表画面生成部１０と、リモートコントローラ（以下、適宜リモコンと記載する）２００から赤外線等により送信された制御データを受信するリモコン受信部１３と、リモコン受信部１３によって受信された制御データ、およびＥＰＧデータ記憶部８に記憶されているＥＰＧデータに基づいて、ユーザインタフェースを管理し、後述するように、各種文字情報やキーワード等の選択項目等をテレビジョン受像機１００の画面１１０上の所定の領域（この例では、番組情報表示領域１１２内）にＯＳＤ（オンスクリーンディスプレイ）表示するための表示データを生成する処理や、表示したキーワードの中からユーザが所望のキーワードを選択するための選択処理等を制御するとともに、ユーザが選択したキーワードを保存するキーワード保存処理や、デジタルテレビ放送受信部２が所定のチャンネルを選局するように制御する選局処理等の各種処理を実行するユーザインタフェース管理部１１と、ユーザインタフェース管理部１１から供給される表示データおよび電子番組表画面生成部１０より供給される電子番組表表示データに基づいて、ＯＳＤ表示用のＯＳＤ表示データを生成し、出力するＯＳＤ描画部１２と、映像デコード部４より供給されたデコードされた映像データと、ＯＳＤ描画部１２より供給されたＯＳＤ用のＯＳＤ表示データとを合成し、合成映像信号を出力する映像／ＯＳＤ信号合成部６と、音声デコード部５より出力されたデコードされた音声データに対応する音声を出力する音声出力部１５と、映像／ＯＳＤ信号合成部６より出力された合成映像信号に対応する合成映像を表示する映像表示部１６等から構成されている。
【０００９】
ＥＰＧデータは、各テレビ放送局等が放送するテレビ番組の予定を示すデータであり、ＥＰＧデータには、チャンネル名、番組のタイトル（番組名）、出演者の氏名、放送日、放送時間帯（放送開始時刻および放送終了時刻）、ジャンル名、番組内容（「あらすじ」）等からなる各番組に関する情報（以下では、番組情報と記載する）が含まれている。
【００１０】
図２は、リモートコントローラ（以下、リモコンと記載する）２００の構成例を示す外観図である。同図に示すように、リモコン２００は、テレビジョン受像機１００の電源をオンまたはオフさせるときに操作される電源ボタン２１０と、チャンネルの切り替えを指示するときに操作される選局ボタン２２０と、音量を調整するときに操作される音量調節ボタン２５０と、後述するキーワードの表示および保存を指示するときに操作されるキーワード保存ボタン２８０と、画面１１０上に表示された後述するカーソル１１３を移動させるときに操作される上ボタン２３１および下ボタン２３２と、左ボタン２３３と、右ボタン２３４と、選択した項目や処理を決定するときに操作される決定ボタン２４０と、録画予約を行うときに操作される録画予約ボタン２７０と、後述するキーワードの表示、分類、および保存を指示するときに操作されるキーワード分類保存ボタン２９０等の各種ボタンと、各種ボタンが操作されたとき、操作されたボタンに対応する制御データを赤外線により送信する図示しない送信部、および各部を制御する制御部等から構成されている。
【００１１】
次に、テレビジョン受像機１００の処理手順について説明する。図３は、テレビジョン受像機１００の画面１１０に現在選局されている所定のチャンネルの番組が表示されている状態を示している。ユーザが、テレビジョン受像機１００の画面１１０に表示された番組を視聴している最中にリモコン２００に設けられたキーワード保存ボタン２８０を操作すると、リモコン２００の図示しない送信部からキーワード保存ボタン２８０が操作されたことを示す制御データが赤外線により送信される。
【００１２】
リモコン２００より赤外線によって送信された制御データは、テレビジョン受像機１００のリモコン受信部１３によって受信され、ユーザインタフェース管理部１１に供給される。ユーザインタフェース管理部１１は、リモコン受信部１３より供給された制御データに基づいて、リモコン２００のキーワード保存ボタン２８０が操作されたことを認識する。
【００１３】
次に、ユーザインタフェース管理部１１は、現在時刻および選局されているチャンネルのチャンネル番号とに基づいて、ＥＰＧデータ記憶部８に記憶されているＥＰＧデータを読み出し、現在表示中の番組に関する情報、例えば、放送年月日、放送局名、放送開始時刻および放送終了時刻、番組名等を、チャンネル番号とともに画面１１０の所定の領域（この例では、番組情報表示領域１１２）に表示させるための表示データを生成し、ＯＳＤ描画部１２に供給する。
【００１４】
ＯＳＤ描画部１２は、ユーザインタフェース管理部１１より供給された表示データに基づいて、画面１１０上の番組情報表示領域１１２に番組に関する情報等をＯＳＤ表示するためのＯＳＤ表示データを生成し、映像／ＯＳＤ信号合成部６に供給する。
【００１５】
映像／ＯＳＤ信号合成部６は、映像デコード部４より供給されたデコードされた映像データと、ＯＳＤ描画部１２より供給されたＯＳＤ表示データとを合成して合成映像信号を生成し、映像表示部１６に供給する。映像表示部１６は、映像／ＯＳＤ信号合成部６より供給された合成映像信号に対応する合成映像を表示する。
【００１６】
図４は、合成映像の表示例を示している。この例では、合成映像は、画面１１０の中央の映像表示領域１１１に表示される映像と、画面１１０の右端部の番組情報表示領域１１２に表示される番組情報等の映像等を含む。このように、画面中央に選局されているチャンネルの番組に対応する映像が表示され、画面１１０の左右両端部の映像が表示されていない領域のうち、右端部の所定の領域（番組情報表示領域１１２）に番組情報や後述するキーワード等が表示される。図５は、番組情報表示領域１１２の表示例を示している。この例では、番組情報表示領域１１２には、現在の年月日（この例では、２００５年１２月２９日）、放送局名（この例では、ＨＨＨ）、チャンネル番号（この例では、１ｃｈ）、放送開始時刻および放送終了時刻（この例では、１９：００〜２１：００）、番組名（この例では、「自然紀行」）等が表示されている。
【００１７】
次に、ユーザインタフェース管理部１１は、リモコン２００のキーワード保存ボタン２８０が操作されたことを示す制御データがリモコン受信部１３より供給されたことに対応して、ＥＰＧデータ記憶部８よりＥＰＧデータを読み出し、ＥＰＧデータに含まれる現在視聴中の番組の「あらすじ」等に含まれる１または複数のキーワードを抽出する。そして、抽出した１または複数の各キーワードをテレビジョン受像機１００の画面１１０の番組情報表示領域１１２に表示するための表示データを生成し、ＯＳＤ描画部１２に供給する。
【００１８】
ＯＳＤ描画部１２は、ユーザインタフェース管理部１１より供給された表示データに対応するＯＳＤ表示データを生成し、映像／ＯＳＤ信号合成部６に供給する。映像／ＯＳＤ信号合成部６は、映像デコード部４より供給された映像データと、ＯＳＤ描画部１２より供給されたＯＳＤ表示データとを合成して合成映像信号を生成し、映像表示部１６に供給する。映像表示部１６は、映像／ＯＳＤ信号合成部６より供給された合成映像信号に対応する合成映像を表示する。これにより、図３の映像表示領域１１１には映像データに対応する映像が表示され、番組情報表示領域１１２には番組情報および抽出された上記キーワード等が表示される。
【００１９】
図６は、番組の映像データと、番組情報やキーワード等に対応するＯＳＤ表示データとが合成されて生成された合成映像信号に対応する合成映像がテレビジョン受像機１００の画面１１０に表示された状態、およびキーワードを選択する手順を示している。この例では、番組情報表示領域１１２には、放送年月日、放送局名、チャンネル番号、放送開始終了時刻等の番組情報と、抽出されたキーワード「自然」、「風景」、「旅」、「沖縄」等が表示されている。また、図６（ａ）に示したように、最初、最上段に表示されたキーワード「自然」の右横にカーソル１１３が表示される。図６では、文字色を黒で表しているが、番組情報表示領域１１２の背景が黒色である場合、文字色は実際には白色等の明るい色とされる。
【００２０】
即ち、ユーザインタフェース管理部１１は、キーワードとともにカーソル１１３を表示するための表示データを生成し、ＯＳＤ描画部１２に供給する。その後、表示データが画面１１０に表示されるまでの処理については上述したとおりであるのでその説明は省略する。
【００２１】
図６（ａ）に示したように、最初、最上段に表示されたキーワード「自然」の右横にカーソル１１３が表示された状態で、ユーザにより、リモコン２００の下ボタン２３２が操作されると、図６（ｂ）に示したように、カーソル１１３が一段下のキーワード「風景」の右横に移動する。
【００２２】
即ち、ユーザインタフェース管理部１１は、リモコン２００から送信されてきた制御データに基づいて下ボタン２３２が操作されたことを認識し、カーソル１１３を一段下のキーワード「風景」の右横に表示されるような表示データを生成し、ＯＳＤ描画部１２に供給する。これにより、画面１１０上の番組情報表示領域１１２のキーワード「風景」の右横にカーソル１１３が表示される。
【００２３】
ユーザがリモコン２００の上ボタン２３１を操作すると、カーソル１１３は一段上のキーワードの右横に移動する。即ち、ユーザインタフェース管理部１１は、リモコン２００から送信されてきた制御データに基づいて上ボタン２３１が操作されたことを認識し、カーソル１１３を一段上のキーワードの右横に表示されるような表示データを生成し、ＯＳＤ描画部１２に供給する。これにより、画面１１０上の番組情報表示領域１１２の一段上のキーワードの右横にカーソル１１３が表示される。
【００２４】
従って、ユーザは、上ボタン２３１および下ボタン２３２の少なくともいずれか一方を操作することにより、カーソル１１３を所望のキーワードの右横に移動させ、カーソル１１３によって指示されたキーワードを選択することができる。
【００２５】
図６（ｃ）では、カーソル１１３は、キーワード「旅」の右横に表示されている。この状態で、ユーザによりリモコン２００の決定ボタン２４０が操作されると、キーワード「旅」の選択が決定される。ユーザインタフェース管理部１１の制御により、この例では、図６（ｄ）に示したように、選択決定されたキーワード（この場合、「旅」）が、他のキーワードの表示色とは異なる例えば赤色等で表示されるなどして強調表示される。選択されたキーワード「旅」は、ユーザインタフェース管理部１１の図示しないキーワード記憶部に保存される。
【００２６】
図７は、キーワードを選択する他の方法を示している。ユーザによりリモコン２００のキーワード保存ボタン２８０が操作されると、図７（ａ）に示すように、抽出された最初のキーワード「自然」のみが番組情報表示領域１１２に表示される。また、キーワード「自然」の一段下の右横には、カーソル１１３が表示される。
【００２７】
次に、ユーザによってリモコン２００の下ボタン２３２が操作されると、図７（ｂ）に示したように、キーワード「自然」が一段下に移動するとともに、最上段には次のキーワード「風景」が表示される。この状態では、カーソル１１３は、キーワード「自然」の右横に位置している。
【００２８】
さらに、ユーザによってリモコン２００の下ボタン２３２が操作されると、図７（ｃ）に示したように、キーワード「自然」、および「風景」がそれぞれ一段下に移動するとともに、最上段には次のキーワード「旅」が表示される。この状態では、カーソル１１３は、キーワード「風景」の右横に位置している。
【００２９】
例えば、図７（ｄ）に示したように、キーワード「旅」の右横にカーソル１１３が表示され、キーワード「旅」が選択されている状態で、ユーザによりリモコン２００の決定ボタン２４０が操作されると、キーワード「旅」の選択が決定され、表示色が赤色等に変化するなどして強調表示される。選択されたキーワード「旅」は、ユーザインタフェース管理部１１の図示しないキーワード記憶部に保存される。
【００３０】
図８は、キーワードを選択するさらに他の方法を示している。ユーザによりリモコン２００のキーワード保存ボタン２８０が操作されると、図８（ａ）に示したように、抽出された最初のキーワード「自然」のみが番組情報表示領域１１２に表示される。また、キーワード「自然」の右横には、カーソル１１３が表示される。
【００３１】
次に、ユーザによってリモコン２００の下ボタン２３２が操作されると、図８（ｂ）に示したように、キーワード「自然」が消去されるとともに、次のキーワード「風景」が表示される。この状態では、カーソル１１３は、キーワード「風景」の右横に位置している。
【００３２】
さらに、ユーザによってリモコン２００の下ボタン２３２が操作されると、図８（ｃ）に示したように、キーワード「風景」が消去されるとともに、次のキーワード「旅」が表示される。この状態では、カーソル１１３は、キーワード「旅」の右横に位置している。
【００３３】
さらに、ユーザによってリモコン２００の下ボタン２３２が操作されると、図８（ｄ）に示したように、キーワード「旅」が消去されるとともに、次のキーワード「沖縄」が表示される。この状態では、カーソル１１３は、キーワード「沖縄」の右横に位置している。
【００３４】
例えば、図８（ｄ）に示したように、キーワード「沖縄」の右横にカーソル１１３が表示され、キーワード「沖縄」が選択されている状態で、ユーザによりリモコン２００の決定ボタン２４０が操作されると、キーワード「沖縄」の選択が決定され、表示色が例えば赤色等に変化するなどして強調表示される。選択されたキーワード「沖縄」は、ユーザインタフェース管理部１１の図示しないキーワード記憶部に保存される。以上のようにして、ユーザは、所望のキーワードを簡単に選択することができる。
【００３５】
図４に示した例では、テレビジョン受像機１００の画面１１０内において、現在選局されているチャンネルの番組の映像が表示されていない領域に番組情報表示領域１１２を設定し、番組情報やキーワードを表示させるようにしたが、図９に示すように、現在選局されているチャンネルの映像が表示されている映像表示領域１１１内に小画面１１４を表示し、その小画面１１４内に番組情報やキーワードを表示させるようにすることもできる。
【００３６】
さらに、図１０に示したように、現在選局されているチャンネルの映像が表示されている映像表示領域１１１内の所定の領域（透過表示領域１１５）に、番組情報やキーワードを透過表示させるようにすることもできる。ここで透過表示とは、文字の背景を透明とし、映像が背景となるように文字を表示させることである。また、文字自体も半透明で表示することができる。
【００３７】
次に、図１１のフローチャートを参照して、キーワード選択決定時におけるテレビジョン受像機１００の処理手順について詳細に説明する。まず最初に、ステップＳ１において、テレビジョン受像機１００が、ユーザによって選局された所定のチャンネルの番組を画面１１０に表示しているときに、リモコン２００のキーワード保存ボタン２８０が操作されたことを示す制御データがリモコン受信部１３によって受信されたか否かがユーザインタフェース管理部１１により判定される。
【００３８】
判定の結果、ユーザによってキーワード保存ボタン２８０が操作されたことを示す制御データが受信されていないと判定された場合、ステップＳ１に戻り、ステップＳ１以降の処理が繰り返し実行される。一方、ユーザによってキーワード保存ボタン２８０が操作されたことを示す制御データが受信されたと判定された場合、ステップＳ２に進む。
【００３９】
ステップＳ２においては、ユーザインタフェース管理部１１により、ユーザが番組を視聴している現在の時刻と、選局されているその番組が放送されているチャンネルのチャンネル番号と、ＥＰＧデータが取得される。現在の時刻は、テレビジョン受像機１００が備える図示しない時計回路等から取得することができる。ＥＰＧデータは、ＥＰＧデータ記憶部８に格納されているのでそこから取得することができる。ＥＰＧデータ抽出部７により定期的にＥＰＧデータが抽出され、ＥＰＧデータ記憶部８には最新のＥＰＧデータが記憶されているものとする。
【００４０】
次に、ステップＳ３において、取得されたＥＰＧデータに基づいて、ユーザインタフェース管理部１１は、現在テレビジョン受像機１００の画面１１０に表示されている番組の放送日時、放送局名、放送開始時刻および放送終了時刻、番組名等を番組情報表示領域１１２に表示するための表示データを生成し、ＯＳＤ描画部１２に供給する。その後、上述したような処理がなされ、図５に示したように、上記表示データに対応する番組情報が画面１１０上の番組情報表示領域１１２に表示される。
【００４１】
次に、ステップＳ４において、ユーザインタフェース管理部１１の制御により、ＥＰＧデータから番組情報に含まれる「あらすじ」が分離して抽出される。
【００４２】
次に、ステップＳ５において、「あらすじ」から単語が切り出され、キーワードとして一旦ユーザインタフェース管理部１１に設けられたメモリに記憶される。次に、ユーザインタフェース管理部１１の制御により、「あらすじ」から切り出されたキーワードがメモリから読み出され、番組情報表示領域１１２に表示される。
【００４３】
次に、ステップＳ６において、画面１１０上の番組情報表示領域１１２に表示されたキーワードから、保存すべきキーワードがユーザによって選択決定されたか否かが判定される。キーワードの選択および決定は、図６乃至図８を参照して上述した手順で行われる。
【００４４】
その結果、まだ、保存すべきキーワードの選択決定がなされていないと判定された場合、ステップＳ６の処理が繰り返し実行される。一方、保存すべきキーワードの選択決定がなされたと判定された場合、選択決定されたキーワードがキーワード記憶部に保存された後、ステップＳ７に進む。
【００４５】
ステップＳ７においては、電源ボタン２１０が操作されて電源がオフされるなどして、処理の終了が指示されたか否かが判定される。その結果、処理の終了が指示されていないと判定された場合、ステップＳ６に戻り、ステップＳ６以降の処理が繰り返し実行される。一方、処理の終了が指示されたと判定された場合、本処理を終了する。
【００４６】
また、ステップＳ５において番組情報表示領域１１２内にキーワードが表示される順番を設定可能にすることができる。例えば、後述するカテゴリ「番組ジャンル」に属するキーワード（例えば、「ニュース」、「スポーツ」、「バラエティー」、「映画」、「ドラマ」、「音楽」、「ドキュメンタリー」等）や、さらに下位階層のカテゴリ「ニュース」、「スポーツ」、「バラエティー」、「映画」、「ドラマ」、「音楽」、「ドキュメンタリー」等に属するキーワード（例えば、「報道」、「サッカー」、「お笑い」等）を優先して先に表示させたり、他のカテゴリ「出演者氏名」に属するキーワード（例えば、「司会者」、「俳優」、「監督」、「脚本家」、「音楽家」、「芸人」、「キャスター」等）や、さらに下位階層のカテゴリ「司会者」、「俳優」、「監督」、「脚本家」、「音楽家」、「芸人」、「キャスター」等に属するキーワードを優先して表示させたりすることができる。
【００４７】
次に、図１２のフローチャートを参照して、番組情報から抽出した単語（キーワード）から所望のキーワードを選択し、選択したキーワードを複数階層からなるカテゴリに分類して、各カテゴリに対応するフォルダに保存する手順について説明する。
【００４８】
まず最初に、ステップＳ２１において、ユーザインタフェース管理部１１により、リモコン２００のキーワード分類保存ボタン２９０が操作されたことを示す制御データがリモコン受信部１３によって受信されたか否かが判定される。その結果、リモコン２００のキーワード分類保存ボタン２９０が操作されたことを示す制御データがリモコン受信部１３によって受信されていないと判定された場合、ステップＳ２１の処理が繰り返し実行される。一方、リモコン２００のキーワード分類保存ボタン２９０が操作されたことを示す制御データがリモコン受信部１３によって受信されたと判定された場合、ステップＳ２２に進む。
【００４９】
ステップＳ２２においては、テレビジョン受像機１００の画面１１０に表示されている番組に対応するチャンネル番号と、現在の時刻とが取得される。次に、ステップＳ２３において、取得されたチャンネル番号と、時刻とに基づいて、その番組に関する番組情報等を含むＥＰＧデータが取得される。例えば、その番組が地上波デジタル放送の番組であれば、地上波デジタル放送のその番組の情報を含むＥＰＧデータが取得される。
【００５０】
次に、ステップＳ２４において、ユーザインタフェース管理部１１により、ＥＰＧデータから番組情報に含まれる「あらすじ」が分離して抽出される。次に、ステップＳ２５において、ユーザインタフェース管理部１１により、「あらすじ」から単語（キーワード）が切り出されて抽出される。
【００５１】
次に、ステップＳ２６において、ユーザインタフェース管理部１１に設けられた図示しないデータベースに、抽出された単語が既に登録されているか否かが判定される。その結果、抽出された単語が未だデータベースに登録されていないと判定された場合、ステップＳ２７に進む。一方、抽出された単語が既にデータベースに登録されていると判定された場合、ステップＳ２９に進む。
【００５２】
ステップＳ２７においては、ユーザインタフェース管理部１１により、抽出された単語がメモリ等に作成された一時保管フォルダに保管される。その後、ステップＳ２８において、一時保管フォルダに保管された単語が上述した処理により画面１１０上の番組情報表示領域１１２に表示される。そして、上述したようにしてユーザによって選択された単語について、ユーザによる所定のカテゴリへの分類が行われる。
【００５３】
即ち、ユーザインタフェース管理部１１は、画面１１０上の番組情報表示領域１１２に、一時保管フォルダより読み出した単語を表示させるとともに、複数のカテゴリを選択項目として表示させる。例えば、カテゴリ「番組ジャンル」、カテゴリ「出演者氏名」、カテゴリ「キーワード」等のカテゴリ名を表示させる。ユーザがリモコン２００を操作してカテゴリを選択すると、ユーザインタフェース管理部１１によりその単語が選択されたカテゴリに分類され、そのカテゴリに対応するフォルダに格納される。
【００５４】
次に、ステップＳ３０において、さらに下位階層への分類処理が行われる。即ち、ユーザインタフェース管理部１１は、さらに下位階層のカテゴリ名を画面１１０上の番組情報表示領域１１２に表示させる。例えば、いま下位階層に分類しようとしている単語が、カテゴリ「番組ジャンル」に分類されている場合には、カテゴリ「番組ジャンル」の下位階層として、カテゴリ「ニュース」、「スポーツ」、「バラエティー」、「映画」、「ドラマ」、「音楽」、「ドキュメンタリー」等のカテゴリ名を表示させる。
【００５５】
また、いま下位階層に分類しようとしている単語が、カテゴリ「出演者氏名」に分類されている場合には、カテゴリ「出演者氏名」の下位階層として、カテゴリ「司会者」、「俳優」、「監督」、「脚本家」、「音楽家」、「芸人」、「キャスター」等のカテゴリ名を表示させる。
【００５６】
また、いま下位階層に分類しようとしている単語が、カテゴリ「キーワード」に分類されている場合には、カテゴリ「キーワード」の下位階層として、カテゴリ「名詞」、「動詞」、「形容詞」等のカテゴリ名を表示させる。
【００５７】
ユーザがリモコン２００を操作して画面１１０上の番組情報表示領域１１２に表示されたカテゴリ名から所望のカテゴリ名を選択すると、選択されたカテゴリ名に上記単語が分類され、ステップＳ３１において、対応するフォルダに上記単語が保存される。
【００５８】
一方、既存のデータベースに抽出された単語が存在する場合、ステップＳ２９に進み、抽出された単語をさらに下位階層のカテゴリに分類することが、ユーザによるリモコン２００の操作によって指示されたか否かが判定される。この指示は、例えば、キーワード分類保存ボタン２９０の再度の押下によって行われる。その結果、下位階層のカテゴリへの分類が指示されたと判定された場合、ステップＳ３０に進み、上述した場合と同様にして分類処理が行われた後、ステップＳ３１において対応するフォルダに単語が保存される。一方、下位階層のカテゴリへの分類が指示されていないと判定された場合、本処理を終了する。
【００５９】
ＥＰＧデータから抽出された単語（キーワード）から所望のものがカテゴリに分類され、対応するフォルダに保存されることにより、単語の登録が完了する。このように、単語を入力することなく、画面１１０に表示された単語から所望の単語を選択するという簡単な操作によって単語を登録することができる。
【００６０】
単語の登録が終了すると、ユーザがリモコン２００を操作することによって適宜、登録された単語を画面１１０上の番組情報表示領域１１２に表示させることができる。即ち、ユーザインタフェース管理部１１により、各フォルダに格納されたキーワードが読み出され、画面１１０上の番組情報表示領域１１２に表示される。
【００６１】
ユーザは、画面１１０上の番組情報表示領域１１２に表示されたキーワードから所望のキーワードを選択し、選択したキーワードに基づいて、視聴予約、視聴制限、録画予約等の様々な処理が行われるように設定することができる。
【００６２】
例えば、キーワード「旅」に対して、視聴予約を設定すると、ユーザインタフェース管理部１１により、ＥＰＧデータに基づいて、各番組の番組情報から抽出された「あらすじ」や番組名等にキーワード「旅」が含まれる番組が検索され、検索結果として得られた番組が視聴予約され、その番組の放送開始時刻から放送終了時刻までの間、その番組が放送されているチャンネルに切り替えられて映像表示領域１１１に表示される。
【００６３】
図１には図示していないが、ハードディスク等からなる録画装置をテレビジョン受像機１００が有する場合には、キーワード「旅」等に対して録画予約を設定することができる。その場合、ＥＰＧデータに基づいて、各番組の番組情報から抽出された「あらすじ」や番組名等にキーワード「旅」を含む番組が検索され、検索結果として得られた番組が録画予約され、その番組の放送開始時刻から放送終了時刻での間、その番組の録画が実行される。
【００６４】
また、例えば、所定のキーワードに対して、視聴制限処理が行われるように設定することができる。その場合、ＥＰＧデータに基づいて、各番組の番組情報から抽出された「あらすじ」や番組名等に設定したキーワードを含む番組が検索され、検索結果として得られた番組の視聴制限が行われる。即ち、その番組の放送開始時刻から放送終了時刻での間、その番組の映像が画面１１０に表示されないように制限されるとともに、その番組の音声が出力されないように制限される。
【００６５】
また、上記実施の形態においては、ＥＰＧデータをデジタルテレビ放送の電波の受信信号から抽出して取得するようにしたが、インターネットを介してＥＰＧデータを提供するＷｅｂサイトにアクセスし、そこから取得するようにすることもできる。あるいは、アナログテレビ放送の電波の受信信号に重畳されているＥＰＧデータを抽出して取得することもできる。
【００６６】
また、図６乃至図８に示したように、番組情報表示領域１１２にキーワードを表示する場合、上位階層に属するキーワードに対して高い優先度を設定し、階層が上位から下位へ下がるに従って各階層に属するキーワードに設定する優先度を低くし、優先度の高いものから順に表示させるようにすることができる。
【００６７】
あるいは、下位階層に属するキーワードに対して高い優先度を設定し、階層が下位から上位へ上がるに従って各階層に属するキーワードに設定する優先度を低くし、優先度の高いものから順に表示させるようにすることもできる。
【００６８】
あるいは、各カテゴリに属するキーワードに任意に優先度を設定し、カテゴリ「番組ジャンル」に関するキーワードを優先して表示させたり、カテゴリ「出演者氏名」に関するキーワードを優先して表示させたりすることもできる。
【００６９】
また、上述した手順によってキーワードが対応するフォルダに保存され、データベース化された後、データベース化されたキーワードから機能毎に１または複数の所望のキーワードを選択し、視聴予約、録画予約、視聴制限等の各機能にそれぞれ利用することができる。
【００７０】
その場合、メモリに保存されたデータベース化されたキーワードを読み出して番組情報表示領域１１２内に表示させ、表示されたキーワードの中から所定のものを選択することになる。このとき、番組情報表示領域１１２内に表示されるキーワードは、各キーワードが属するジャンル毎に表示されるようにしたり、上述した優先度の高いものから順に表示されるようにしたりすることができる。
【００７１】
次に、録画予約の方法について説明する。ユーザによってリモコン２００の録画予約ボタン２７０が操作され、対応する制御データがテレビジョン受像機１００に送信されると、ユーザインタフェース管理部１１により、メモリに記憶されている録画予約情報が読み出される。
【００７２】
この録画予約情報は、ユーザがチャンネル番号、放送日、放送開始終了時刻を入力して設定した、チャンネル番号、放送日、放送開始終了時刻からなる予約データや、上述したように、データベース化されたキーワードに基づいて録画予約されたものの予約データ等からなる。
【００７３】
次に、ユーザインタフェース管理部１１は、録画予約情報から録画予約がされていない時間帯を検索し、検索結果として得られた時間帯に放送される番組に関する情報を画面１１０に表示し、各番組毎に録画予約するか否かをユーザに選択させる。ユーザにより、全ての番組の録画予約をしないことが選択された場合、録画予約は行わず、録画予約処理は終了する。一方、１または複数の録画予約可能な番組が選択された場合、選択された番組に対応する予約データが新たに生成され、記憶される。この場合、画面１１０に表示される番組の情報は、キーワード記憶部に記憶されているキーワードの全部またはユーザが選択した一部に関連するものに限定されるようにすることができる。
【００７４】
このようにして、録画予約がされていない空き時間帯に迅速かつ効率的に録画予約を行うことができる。この方法は、視聴予約を行う場合にも適用することができる。
【００７５】
また、ユーザがリモコン２００を操作して自分の視聴可能な時間帯を入力すると、ユーザインタフェース管理部１１は、その時間帯をメモリに記憶し、その時間帯に放送される番組を番組情報から検索し、検索結果として得られた番組を、番組の開始から終了までの全てを視聴可能な番組と、一部を視聴できない番組とに分類し、全てを視聴可能な番組の優先度を高く設定して、優先度の高い番組から順に、その番組に関する情報（番組名等）を映像表示部１６の画面１１０に表示する。
【００７６】
このように、視聴可能な時間帯に放送される番組に関する情報を表示させることができるので、ユーザは、視聴したい番組があれば、その番組に関する情報を選択するだけで簡単にその番組を視聴することができる。この場合も、画面１１０に表示される番組の情報は、キーワード記憶部に記憶されているキーワードの全部またはユーザが選択した一部に関連するものに限定されるようにすることができる。
【００７７】
次に、キーワード保存後のキーワードによる番組検索手順について説明する。上述した手順によってキーワードがユーザインタフェース管理部１１の図示しないキーワード記憶部に保存された後、ユーザによってリモコン２００のキーワード番組検索ボタン３００が押下されると、ユーザインタフェース管理部１１の制御下、キーワード記憶部に記憶されたキーワードが読み出され、読み出されたキーワードを番組情報表示領域１１２に表示するための表示データが生成された後、ＯＳＤ描画部１２に供給される。ＯＳＤ描画部１２は、ユーザインタフェース管理部１１より供給された表示データを映像／ＯＳＤ信号合成部６に供給する。これにより、テレビジョン受像機１００の画面１１０の映像表示領域１１１に現在選局されているチャンネルの映像が表示され、番組情報表示領域１１２にキーワードの一覧が表示される。
【００７８】
ユーザは、リモコン２００の上ボタン２３１および下ボタン２３２を操作することにより所望のキーワードを選択し、決定ボタン２４０を操作することによって選択の確定を指示すると、選択確定されたキーワードに対応する番組の情報（番組タイトル、放送日時、および放送チャンネル等）がＥＰＧデータ記憶部８に記憶されているＥＰＧデータに基づいて検索され、検索結果として得られた上記キーワードに関連する番組のタイトル、放送日時、および放送チャンネル等からなる番組一覧表が画面１１０の番組情報表示領域１１２に表示される。番組一覧表から所望の番組を選択することにより、その番組を視聴したり、視聴予約したり、録画予約することができる。
【００７９】
次に、キーワード保存後にキーワードの優先順位を設定する手順について説明する。上述した手順によってキーワードがユーザインタフェース管理部１１の図示しないキーワード記憶部に保存された後、ユーザによってリモコン２００のキーワード優先順位設定ボタン３１０が押下されると、ユーザインタフェース管理部１１の制御下、キーワード記憶部に記憶されたキーワードが読み出され、読み出されたキーワードを番組情報表示領域１１２に表示するための表示データが生成された後、ＯＳＤ描画部１２に供給される。ＯＳＤ描画部１２は、ユーザインタフェース管理部１１より供給された表示データを映像／ＯＳＤ信号合成部６に供給する。これにより、テレビジョン受像機１００の画面１１０の映像表示領域１１１に現在選局されているチャンネルの映像が表示され、番組情報表示領域１１２にキーワードの一覧が表示される。キーワード一覧は、優先順位が設定されていない場合にはアルファベット順、あいうえお順等の所定の順番で表示される。或いは、キーワード記憶部に保存された順に表示することもできる。
【００８０】
ユーザは、リモコン２００の上ボタン２３１および下ボタン２３２を操作することにより所望のキーワードを選択し、決定ボタン２４０を操作することによって選択の確定を指示する。キーワードを選択確定した後、上ボタン２３１を操作すると、選択されたキーワードが１段ずつ上に移動する。一方、下ボタン２３２を操作すると、選択されたキーワードが１段ずつ下に移動する。所望の位置にキーワードを移動させた後、決定ボタン２４０を押下することにより、キーワードの位置が決定される。この上下方向の位置が優先順位に対応している。即ち、最上段にあるキーワードの優先順位が最も高く、下段に行くに従って優先順位が低くなるように設定される。上記操作を繰り返し行うことにより、全てのキーワードに対して所望の優先順位を設定することができる。また、キーワードをカテゴリに分けることができる場合には、カテゴリ内で各キーワードに優先順位を設定するとともに、カテゴリ間でも優先順位を設定することもできる。例えば、カテゴリ「スポーツ」の優先順位をカテゴリ「ニュース」の優先順位より高く設定することができる。
【００８１】
なお、上記実施の形態においては、番組情報に含まれる「あらすじ」からキーワードを抽出するようにしたが、「あらすじ」のみならず、番組情報のその他の情報からもキーワードを抽出し、表示することができる。
【００８２】
また、上記実施の形態において、複数のキーワードを論理演算子を用いて組み合わせた検索条件を設定し、この検索条件に合致する番組をＥＰＧデータから検索し、視聴予約、録画予約、および視聴制限等を行うことができる。
【００８３】
また、上記実施の形態の構成および動作は例であって、本発明の趣旨を逸脱しない範囲で適宜変更することができることは言うまでもない。
【産業上の利用可能性】
【００８４】
本発明の活用例として、例えば、テレビジョン受像機だけでなく、携帯端末を用いてデジタルテレビ放送の番組を視聴する際にも本発明を適用することができる。
【図面の簡単な説明】
【００８５】
【図１】本発明が適用されるテレビジョン受像機の一実施の形態の構成例を示すブロック図である。
【図２】リモートコントローラの外観図である。
【図３】テレビジョン受像機の画面に現在選局されている所定のチャンネルの番組が表示されている状態を示す図である。
【図４】合成映像の表示例を示す図である。
【図５】番組情報表示領域の表示例を示す図である。
【図６】番組の映像と、番組情報やキーワード等が合成された合成映像がテレビジョン受像機の画面に表示された状態およびキーワードを選択する手順を示す図である。
【図７】キーワードを選択する他の手順を示す図である。
【図８】キーワードを選択するさらに他の手順を示す図である。
【図９】映像表示領域内に小画面が表示され、その中に番組情報やキーワードが表示されることを示す図である。
【図１０】映像表示領域内の所定の領域に、番組情報やキーワードが透過表示されることを示す図である。
【図１１】キーワード選択決定時におけるテレビジョン受像機の詳細な処理手順を説明するためのフローチャートである。
【図１２】キーワードを複数階層からなるカテゴリに分類する手順を説明するためのフローチャートである。
【符号の説明】
【００８６】
１  アンテナ
２  デジタルテレビ放送受像部
３  デマルチプレクサ
４  映像デコード部
５  音声デコード部
６  映像／ＯＳＤ信号合成部
７  ＥＰＧデータ抽出部
８  ＥＰＧデータ記憶部
９  電子番組表構成部
１０  電子番組表画面生成部
１１  ユーザインタフェース管理部
１２  ＯＳＤ描画部
１３  リモコン受信部
１５  音声出力部
１６  映像表示部
１００  テレビジョン受像機
１１０  画面
１１１  映像表示領域
１１２  番組情報表示領域
１１３  カーソル
１１４  小画面
１１５  透過表示領域
２００  リモートコントローラ（リモコン）
２１０  電源ボタン
２２０  選局ボタン
２３１  上ボタン
２３２  下ボタン
２３３  左ボタン
２３４  右ボタン
２４０  決定ボタン
２５０  音量調節ボタン
２６０  メニューボタン
２７０  録画予約ボタン
２８０  キーワード保存ボタン
２９０  キーワード分類保存ボタン
３００  キーワード番組検索ボタン
３１０  キーワード優先順位設定ボタン
【図１】
2008278400.tif 000003
【図２】
2008278400.tif 000004
【図３】
2008278400.tif 000005
【図４】
2008278400.tif 000006
【図５】
2008278400.tif 000007
【図６】
2008278400.tif 000008
【図７】
2008278400.tif 000009
【図８】
2008278400.tif 000010
【図９】
2008278400.tif 000011
【図１０】
2008278400.tif 000012
【図１１】
2008278400.tif 000013
【図１２】
2008278400.tif 000014